(57)【要約】【課題】センサの緩解を防ぐと同時に、必要なときにはセンサが容易に接近可能かつ交換可能であるようにした、ガスタービンの燃焼室等の環境中にセンサを位置決めする取付可能なアタッチメントを提供する。【解決手段】アタッチメント１００は、センサ２００を組み込む、延長された中空の構成を有する取付部材１１０と、取付部材内においてセンサに対して調整されて配置される一次弾性部材１３０であって、取付部材が対応部材３１０から緩解しないように取付部材に対して軸方向外向きの力を加え、かつ環境３００内の目標位置にセンサを取り付けるための取付トルクを与える一次弾性部材とを備えるようにした。アタッチメントは、一次弾性部材と相俟って、取付部材が対応部材から緩解しないようにする合力としての取付力を達成する二次弾性部材１５０等の付加的な弾性部材を備えていてもよい。【選択図】図２
2014232106.tif 000002
【特許請求の範囲】
【請求項１】
ガスタービンの燃焼室を含めて環境（３００）中にセンサ（２００）を位置決めする取付可能なアタッチメント（１００）であって、該取付可能なアタッチメント（１００）は、
前記センサ（２００）を少なくとも部分的に組み込む、延長された中空の構成を有する取付部材（１１０）を備え、該取付部材（１１０）は、
半径方向内向きに張り出したショルダ部材（１１４）を有する第１の端部部分（１１２）と、
前記取付部材（１１０）を前記環境（３００）内に設けられた対応部材（３１０）に螺止するねじ山（１１８）が内部に形成されていて、前記環境（３００）内の可変の物理的パラメータを測定するために前記環境（３００）内にセンサ（２００）を構成する第２の端部部分（１１６）と、
半径方向内向きに張り出したフランジ部材（１２２）を有し、前記センサ（２００）が、前記取付部材（１１０）内を前記第１の端部部分（１１２）から前記第２の端部部分（１１６）まで延在し、少なくとも部分的に前記ショルダ部材（１１４）及び前記フランジ部材（１２２）に係合されるようになっている、前記第１の端部部分（１１２）と前記第２の端部部分（１１６）との間の第３の部分（１２０）と、
を有し、かつ前記取付可能なアタッチメント（１００）は、
前記取付部材（１１０）内において前記ショルダ部材（１１４）と前記フランジ部材（１２２）との間に前記センサ（２００）に対して調整されて配置される少なくとも１つの一次弾性部材（１３０）であって、
前記取付部材（１１０）が前記対応部材（３１０）から緩解しないように少なくとも前記取付部材（１１０）に対して軸方向外向きの力を加えることができ、かつ
前記環境（３００）内の目標位置に前記センサ（２００）を少なくとも取り付けるための取付トルクを与えることができる一次弾性部材（１３０）を備える、
ことを特徴とする、取付可能なアタッチメント。
【請求項２】
前記少なくとも１つの一次弾性部材（１３０）は、前記センサ（２００）を取り付けるのに必要な取付トルクに対応する剛性を示す、請求項１記載の取付可能なアタッチメント。
【請求項３】
前記少なくとも１つの一次弾性部材（１３０）は、コイルばねである、請求項１記載の取付可能なアタッチメント。
【請求項４】
シールプレート（１４０）をさらに備え、該シールプレート（１４０）は、延長された中空の前記取付部材（１１０）を収容して部分的に前記環境（３００）に露出させる貫通孔（１４２）を有し、さらに前記環境（３００）をシールする、請求項１記載の取付可能なアタッチメント。
【請求項５】
延長された中空の前記取付部材（１１０）は、前記第１の端部部分（１１２）の近傍に構成され、半径方向外向きに張り出したフランジ部材（１２４）をさらに有する、請求項４記載の取付可能なアタッチメント。
【請求項６】
部分的に前記取付部材（１１０）を収容し、前記シールプレート（１４０）と前記フランジ部材（１２４）との間に安定に配置される少なくとも１つの二次弾性部材（１５０）をさらに備える、請求項５記載の取付可能なアタッチメント。
【請求項７】
前記少なくとも１つの二次弾性部材（１５０）は、前記少なくとも１つの一次弾性部材（１３０）より高い剛性を有している、請求項６記載の取付可能なアタッチメント。
【請求項８】
前記少なくとも１つの一次弾性部材（１３０）及び前記少なくとも１つの二次弾性部材（１５０）は、前記対応部材（３１０）から緩解しないようにもたらされる取付力を得る、請求項７記載の取付可能なアタッチメント。
【請求項９】
前記少なくとも１つの二次弾性部材（１５０）は、コイルばねである、請求項６記載の取付可能なアタッチメント。
【請求項１０】
前記センサ（２００）は、アダプタ（３２０）を使用することにより前記環境（３００）に合わせて構成されている、請求項１記載の取付可能なアタッチメント。
【発明の詳細な説明】
【技術分野】
【０００１】
本開示は、取付アタッチメント、特にガスタービンの燃焼室等の対象物又は環境にセンサを取り付ける取付アタッチメントに関する。
【背景技術】
【０００２】
多くの使用において、物理的パラメータを多重に測定かつ検出するために、ガスタービンの燃焼室等の、接近することが困難な対象物又は環境に近接して測定センサ又は検出センサを配置する必要がある。
【０００３】
大抵の場合、このような対象物又は環境にセンサを取り付けるために、センサは、まずねじ山付きプラグに適合される。さらにねじ山付きプラグは、好適なセンサアダプタを用いて、対象物又は環境中に適切にセンサを固定するために、対象物又は環境に設けられた孔を通して位置決めされる。ねじ山付きプラグは、センサを有するセンサアダプタにねじ締めされ、センサの先端が、対象物又は環境内の様々な物理的パラメータを測定又は検出するために対象物又は環境と確実に連通できるようにしている。センサは、必要な取付トルクを提供するねじ固定により所定の位置に保持されている。一般に、この取付トルクは、極めて小さく、センサアダプタからのねじ山付きプラグの緩解、ひいてはセンサの緩解に至りかねない。センサのこのような緩解を防止するために、ねじ山付きプラグは、一般に、センサアダプタにスポット溶接され、これによりねじ山の緩解を抑制し、必要な取付トルクを提供するためにセンサアダプタに固定される。図１は、上述の従来慣用のセンサアッセンブリの典型的な配置構造を示している。図１において、センサは、符号Ｓにより、ねじ山付きプラグは、符号Ｔにより、アダプタは、符号Ａにより、スポット溶接は、符号Ｗにより、環境は、符号Ｅにより、それぞれ示してある。
【０００４】
しかし、センサの緩解の問題は、スポット溶接により解決されるかもしれないが、センサへの接近及びセンサの交換は、厄介で困難な仕事となってしまう。
【０００５】
したがって、センサの緩解を防ぐと同時に、必要なときにセンサが経済的かつ適合可能な様式で対象物又は環境から容易に接近可能かつ交換可能であるのに好適な形で、センサを固定する必要がある。
【発明の概要】
【発明が解決しようとする課題】
【０００６】
本開示は、ガスタービンの燃焼室等の環境中にセンサを位置決めするための取付アタッチメントを示している。本開示に係る取付アタッチメントは、以下の簡単な概要に提示される。この概要は、幾つかの付加的な利点の提供とともに、上記欠点を解消し、すべての利点を包含する開示の単数又は複数の態様の基本的な理解を提供するものである。この概要は、開示の外延的な概括ではない。この概要は、開示の重要な要素又は必須の要素を識別するものでも、本開示の範囲を線引きするものでもない。むしろ、この概要の唯一の目的は、追って提示する詳細な説明の序章として、簡易化された形態で、開示の幾つかの観念、態様及び利点を提示するものである。
【０００７】
本開示の課題は、センサの緩解を防ぐと同時に、必要なときにセンサが対象物又は環境から容易に接近可能かつ交換可能であるのに好適な形で、センサを固定するという点で、適合可能な取付アタッチメントを提示することである。換言すれば、課題は、センサを所定の位置に固定する取付トルクを維持するために従来必要とされるスポット溶接を省略することである。本開示の他の課題は、効果的かつ経済的に使用するのに好適な取付アタッチメントを提供することである。本開示のその他の様々な課題及び特徴は、以下の詳細な説明及び特許請求の範囲から看取される。
【課題を解決するための手段】
【０００８】
上述の課題及びその他の課題は、一態様において、環境中にセンサ、例えば脈動センサを位置決めする取付アタッチメントにより達成される。このようなアタッチメントが使用される環境の例は、ガスタービンの燃焼室であるが、これに限定されるものではない。本開示は、良好な理解の目的でガスタービンの燃焼室との関連で説明されるが、開示の範囲は、当該取付アタッチメントが問題なく使用されるすべてのコンポーネントに及ぶ。
【０００９】
本開示の上記態様によれば、環境中にセンサを位置決めする取付アタッチメントが、開示されている。取付アタッチメントは、取付部材と、少なくとも１つの一次弾性部材とを有している。取付部材は、内部にセンサを組み込む、延長された中空の構成を有している。取付部材は、第１の端部部分と、第２の端部部分と、第１の端部部分と第２の端部部分との間の第３の部分とを有している。第１の端部部分は、半径方向内向きに張り出したショルダ部材を有している。第２の端部部分は、取付部材を環境内に設けられた対応部材に螺止する、内部に形成されたねじ山を有し、環境内の可変の物理的パラメータを測定するために環境内のアダプタに対するセンサを構成している。さらに、第３の部分は、半径方向内向きに張り出したフランジ部材を有している。センサは、取付部材内を第１の端部部分から第２の端部部分まで延在し、ショルダ部材及びフランジ部材に係合されるようになっている。少なくとも１つの一次弾性部材は、取付部材内においてショルダ部材とフランジ部材との間にセンサに対して調整されて安定に配置されている。少なくとも１つの一次弾性部材は、取付部材が対応部材から緩解しないように取付部材に対して軸方向外向きの力を加えるとともに、環境内の目標位置にセンサを取り付けるための取付トルクを提供する。
【００１０】
一態様において、少なくとも１つの一次弾性部材は、センサを取り付けるのに必要な取付トルクに対応する剛性を示す。少なくとも１つの一次弾性部材は、コイルばねであってもよい。
【００１１】
一態様において、取付可能なアタッチメントは、シールプレートをさらに備えていてもよく、シールプレートは、取付部材を収容して部分的に環境に露出させる貫通孔を有し、さらに環境をシールする。さらに取付部材は、第１の端部部分の近傍に構成され、半径方向外向きに張り出したフランジ部材を有していてもよい。取付可能なアタッチメントは、部分的に取付部材を収容し、シールプレートとフランジ部材との間に安定に配置される少なくとも１つの二次弾性部材を備えていてもよい。
【００１２】
一態様において、少なくとも１つの二次弾性部材は、少なくとも１つの一次弾性部材より高い剛性を有している。少なくとも１つの一次弾性部材及び少なくとも１つの二次弾性部材は、対応部材から緩解しないようにもたらされる取付力を得ることができる。少なくとも１つの二次弾性部材も、コイルばねであってよい。
【００１３】
これらの態様については、本開示のその他の態様と一緒に、本開示を特徴付ける新規な様々な特徴を伴って、特殊性とともに本開示において指摘する。本開示、運用上の利点及び使用のより良好な理解のために、本開示の実施の形態を説明する添付の図面及び説明事項を参照されたい。
【発明の効果】
【００１４】
本発明に係る取付アタッチメントは、センサの緩解を防ぐと同時に、必要なときにセンサが対象又は環境から容易に接近可能かつ交換可能であるのに好適な形で、センサを固定している点で、適応性がある。換言すると、取付可能なアタッチメントは、従来では、センサを所定の位置に固定するための取付トルクを維持するのに必要であったスポット溶接を省略する。さらに取付可能なアタッチメントは、環境、例えばエンジンの外側から、スポット溶接その他の溶接等の固定の必要なしに、簡便、効果的かつ経済的な方法で取付可能である。
【００１５】
本開示の利点及び特徴は、添付図面との関連での以下の詳細な説明及び特許請求の範囲を参照すると、より良好に理解されるであろう。同一の要素には、同一の符号を付した。
【図面の簡単な説明】
【００１６】
【図１】ガスタービンの燃焼室等の環境にセンサを固定する従来慣用の配置構造を示す図である。
【図２】ガスタービンの燃焼室等の環境とともに、本開示の一実施の形態に係る取付可能なアタッチメントの断面を示す正面図である。
【図３】図２に示した本開示の一実施の形態に係る取付可能なアタッチメントの斜視図である。
【００１７】
同一の符号は、図面についての説明全般にわたって、同一の要素を指している。
【発明を実施するための形態】
【００１８】
本開示の十分な理解のために、上述の図面との関連で、添付の特許請求の範囲を含めて、以下の詳細な説明を参照されたい。以下の説明中、説明の目的で、本開示の十分な理解を提供するために多数の特定事項を示す。しかし、本開示がこれらの特定事項なしに実施されてもよいことは、当業者にとって明白である。他の例では、構造及び装置は、開示を不明りょうにすることを避けるため、ブロック図の形態でのみ示されている。本明細書における「１つの実施の形態」、「一実施の形態」、「他の実施の形態」、「様々な実施の形態」についての言及は、実施の形態との関連で説明されるある特定の特徴、構造又は特性が、本開示の少なくとも１つの実施の形態に包含されていることを意味する。本明細書中の様々な箇所に表記される「１つの実施の形態において」なる句は、必ずしもすべて、同じ実施の形態について云うものではなく、また互いに他の実施の形態を除外する別個の又は択一的な実施の形態について云うものでもない。さらに、幾つかの実施の形態に提示され、他の実施の形態には提示されない様々な特徴が記載される。同様に、幾つかの実施の形態の要件であるが、他の実施の形態の要件ではない様々な要件が記載される。
【００１９】
以下の説明は、説明の目的で多数の特定事項を含むが、当業者であれば、これらの事項の多数の変更及び／又は置換が本開示の範囲内にあることを理解するであろう。同様に、本開示の多数の特徴は、相互の観点で又は相互に関連して説明されるが、当業者であれば、これらの多数の特徴が他の特徴とは独立して提供されてもよいことを理解するであろう。それゆえ、本開示のこの説明は、本開示の普遍性を失わせたり、本開示に制限を加えたりすることなく示される。さらに「第１」、「第２」、「第３」、「一次」、「二次」等の相対的な用語は、本明細書において、何らかの順序、高度又は重要度を示すものではなく、むしろ、ある要素を他の要素から区別するために使用される。さらに、本明細書における「一」なる用語は、量の限定を示すものではなく、むしろ、対象物が少なくとも１つ存在することを示すものである。
【００２０】
次に図２及び図３を参照すると、センサ２００用の又はセンサ２００を環境３００中に位置決めする取付可能なアタッチメント１００の例は、本開示の例示的な実施の形態に則して図示されている。このようなアタッチメント１００が使用される環境３００の例は、ガスタービンの燃焼室を含む。しかし、燃焼室に限定されるものではない。開示がガスタービンの燃焼室に関連して説明され、より良好な理解の目的で、符号３００により識別されるが、開示の範囲は、当該取付可能なアタッチメント１００の使用が問題なく行われるすべてのそのようなコンポーネントに及ぶ。取付可能なアタッチメント１００の構造及び配置と同様に、様々な関連要素は、当業者によく知られており、本開示の理解を得る目的で、それらの構造的な事項及び説明のすべてを本明細書で詳述することは不要と思われる。むしろ、図２及び図３に示すように、取付可能なアタッチメント１００のうち、本開示の様々な実施の形態の説明にとって重要なコンポーネントのみを示していることを指摘さえすれば十分と思われる。
【００２１】
取付可能なアタッチメント１００は、取付部材１１０を有している。取付部材１１０は、その構成に関して、中空であるとともに、延長されており、すなわち好適な長さを有している。取付部材１１０は、第１の端部部分１１２と、第２の端部部分１１６と、第１の端部部分１１２と第２の端部部分１１６との間の第３の部分１２０とを有している。第１の端部部分１１２は、ショルダ部材１１４を有しているように設計されている。ショルダ部材１１４は、第１の端部部分１１２から半径方向内向きに張り出している。さらに第２の端部部分１１６は、内部に形成されたねじ山１１８を有している。ねじ山１１８は、環境３００内に設けられた対応部材３１０に取付部材１１０を螺止するために用いられる。さらに第３の部分１２０は、フランジ部材１２２を有している。フランジ部材１２２は、延長された中空の取付部材１１０から半径方向内向きに延在している。
【００２２】
取付可能なアタッチメント１００は、少なくとも１つの一次弾性部材１３０を有している。一次弾性部材１３０は、取付部材１１０内に配置されるように適合されている。図２に示すように、１つの一次弾性部材１３０のみが取付部材１１０とともに配置されているが、本開示の範囲から逸脱することなく、２つ以上のこのような一次弾性部材１３０が、取付可能なアタッチメント１００の要求に応じて設けられていてもよい。
【００２３】
取付部材１１０及び一次弾性部材１３０は、ガスタービンの燃焼室３００内にセンサ２００を位置決めする取付可能なアタッチメント１００内にセンサ２００を固定するように適合されている。取付部材１１０の中空かつ延長された構成は、取付部材１１０内部へのセンサ２００の組込を可能にする。さらに、ねじ山１１８が内部に形成された第２の端部部分１１６は、取付部材１１０を燃焼室３００内の対応部材３１０に螺止する。対応部材３１０自体は、好適なアダプタ３２０を使用することにより、燃焼室３００内でのセンサ２００の配置を可能にする。
【００２４】
センサ２００は、延長された中空の取付部材１１０内に配置されるように適合されており、ショルダ部材１１４及びフランジ部材１２２に係合され、取付部材１１０内を第１の端部部分１１２から第２の端部部分１１６まで延在するようになっている。さらに一次弾性部材１３０は、取付部材１１０内においてショルダ部材１１４とフランジ部材１２２との間に、センサ２００に対して調整されて安定に配置されている。１つの実施の形態において、センサ２００の周りに配置される複数の様々な一次弾性部材１３０があってもよい。他の実施の形態では、部分的又は全体的にセンサ２００を囲繞する１つ以上の一次弾性部材１３０があってもよい。しかし、本開示の範囲から逸脱することなく、一次弾性部材１３０とセンサ２００との間の様々な別の配置があってもよい。図２では、一次弾性部材１３０とセンサ２００との間の配置例として、弾性部材１３０がセンサ２００を部分的に囲繞する配置例が示されており、本明細書ではこの配置例について説明する。
【００２５】
一次弾性部材１３０は、軸方向外向きの力（図２に矢印Ｘで図示）を取付部材１１０に加え、取付部材１１０が対応部材３１０から緩解しないようにするとともに、燃焼室３００内の目標位置にセンサ２００を取り付けるための取付トルクを与える。一次弾性部材１３０は、この目標位置にセンサ２００を取り付けるのに必要な取付トルクに対応する剛性を示していてもよい。取付部材１１０がその対応部材３１０にどれほどきつく締め付けられても、センサ２００は、目標位置にセンサ２００を設置するために一次弾性部材１３０の剛性により規定される要求取付トルクのみを得る。目標位置は、センサ２００が燃焼室３００内の可変の物理的パラメータを測定するためにアダプタ３２０又は燃焼室３００と近接した配位に維持される位置であってもよい。
【００２６】
１つの実施の形態において、取付可能なアタッチメント１００は、付加的に少なくとも１つの二次弾性部材１５０を有していてもよい。二次弾性部材１５０は、一次弾性部材１３０と組み合わされて、一次弾性部材１３０が何らかの形で弱まる状況で、対応部材３１０から緩解しないようにする合力としての取付力を達成する。二次弾性部材１５０も、上述の目的で合力としての取付力を達成するために、軸方向外向きの力（図２に矢印Ｘで図示）を加える。このようなバランスを取るための二次弾性部材１５０を構成するために、延長された中空の取付部材１１０は、第１の端部部分１１２の近傍で半径方向外向きに張り出したフランジ部材１２４をさらに有している。さらに、取付可能なアタッチメント１００は、シールプレート１４０も有している。シールプレート１４０は、フランジ部材１２４と組み合わされて、二次弾性部材１５０を固定している。特にシールプレート１４０は、延長された中空の取付部材１１０を収容するために用いられ、部分的に燃焼室３００に露出させる貫通孔１４２を有し、さらに燃焼室３００をシールする。さらに二次弾性部材１５０は、部分的に取付部材１１０を収容し、シールプレート１４０とフランジ部材１２４との間に安定に配置されている。二次弾性部材１５０は、一次弾性部材１３０より高い剛性を有しており、取付部材１１０が緩解しないようにねじ山１１８に対するより高いトルクを生じる。図２及び図３に示すように、二次弾性部材１５０は、１つしか設けられていないが、本開示の範囲を逸脱することなく、２つ以上のこのような二次弾性部材１５０が、要求に応じて構成されていてもよい。
【００２７】
１つの実施の形態において、一次弾性部材１３０と二次弾性部材１５０とは、コイルばねであるが、本開示の範囲を逸脱することなく、弾性部材は、燃焼室３００内の目標位置にセンサ２００を位置決めするために要求される取付トルクを示すことが可能な配置の別の付勢部材であってもよい。さらに、好適な配線系統及び電子系統が、センサ２００により測定又は検出されたデータの分析のためにセンサ２００に接続されていてもよい。
【００２８】
本開示に係る取付可能なアタッチメント、例えばセンサ用の又はセンサを環境、例えばガスタービンの燃焼室内に位置決めする取付可能なアタッチメント１００は、様々な点で有利である。取付アタッチメントは、センサの緩解を防ぐと同時に、必要なときにセンサが対象又は環境から容易に接近可能かつ交換可能であるのに好適な形で、センサを固定している点で、適応性がある。換言すると、取付可能なアタッチメントは、従来では、センサを所定の位置に固定するための取付トルクを維持するのに必要であったスポット溶接を省略する。さらに取付アタッチメントは、環境、例えばエンジンの外側から、スポット溶接その他の溶接等の固定の必要なしに、簡便、効果的かつ経済的な方法で取付可能である。
【００２９】
本開示の特別な実施の形態の上述の説明は、図示及び説明の目的で提示したものであり、すべてを網羅したものであることを意図したものでもなければ、本開示を開示された具体的な形態に限定することを意図したものでもなく、明らかに多くの改変及び変更が、上述の教示に照らして可能である。本実施の形態は、本開示の原理及びその実際の使用を最良に描写するために、ひいては、当業者が本開示及び様々な実施の形態を、企図される特別な使用に適合された様々な改変を伴って、最良に使用することができるようにするために、選択し、説明したものである。状況が提案又は提供するのであれば、様々な省略及び均等物の置換が企図され、これらが、本開示の思想又は特許請求の範囲を逸脱することなく、適用又は実施をカバーすることは、自明である。
【符号の説明】
【００３０】
１００  取付可能なアタッチメント
１１０  取付部材
１１２  第１の端部部分
１１４  ショルダ部材
１１６  第２の端部部分
１１８  ねじ山
１２０  第３の部分
１２２  フランジ部材
１２４  フランジ部材
１３０  一次弾性部材
１４０  シールプレート
１４２  貫通孔
１５０  二次弾性部材
２００  センサ
３００  環境；ガスタービンの燃焼室
３１０  対応部材
３２０  アダプタ
Ｘ  矢印
従来技術
Ｓ  センサ
Ｔ  ねじ山付きプラグ
Ａ  アダプタ
Ｗ  スポット溶接
Ｅ  環境
【図１】
2014232106.tif 000003
【図２】
2014232106.tif 000004
【図３】
2014232106.tif 000005
【外国語明細書】
2014232106.tif 000006
2014232106.tif 000007
2014232106.tif 000008
2014232106.tif 000009
2014232106.tif 000010
2014232106.tif 000011
2014232106.tif 000012
2014232106.tif 000013
2014232106.tif 000014
2014232106.tif 000015
2014232106.tif 000016
2014232106.tif 000017
2014232106.tif 000018
2014232106.tif 000019
2014232106.tif 000020
2014232106.tif 000021